(57)【要約】      （修正有）【課題】足の靭帯及び筋肉を刺激し、偏平足を矯正するマット構造を提供する。【解決手段】マット構造は、順に積層されて結合される滑り止め底層１０と、硬質層２０と、軟質層３０と、模擬層４０とを備える。滑り止め底層１０はＰＶＣやゴム等の滑り止め材質で製造される。硬質層２０は滑り止め底層１０の何れか一側に結合され、軟質層３０は硬質層２０と滑り止め底層１０とが結合される側の反対側に結合され、軟質層３０の材質は硬質層２０の材質よりも軟らかい。模擬層４０は軟質層３０と硬質層２０とが結合される側の反対側に設置され、模擬層４０と軟質層３０とが結合される側の反対側には模擬面４１を有し、刺激用バンプ５０は硬質層２０と軟質層３０との間に設置される。【選択図】図２
0003207756.tif 000002
【実用新案登録請求の範囲】
【請求項１】
順に積層されて結合される滑り止め底層と、硬質層と、軟質層と、
前記硬質層と前記軟質層との間に設置される刺激用バンプとを備え、
前記滑り止め底層は、滑り止め材質で製造され、
前記硬質層は、前記滑り止め底層の何れか一側に結合され、
前記軟質層は、前記硬質層と前記滑り止め底層とが結合される側の反対側に結合され、
前記軟質層の材質は前記硬質層の材質より軟らかいことを特徴とする、
マット構造。
【請求項２】
前記軟質層と前記硬質層とが結合される側の反対側に設置される模擬層を更に備え、前記模擬層と前記軟質層とが結合される側の反対側には模擬面を有することを特徴とする、請求項１に記載のマット構造。
【請求項３】
前記刺激用バンプの形状として、円形、楕円形、または多角形の内の１つが任意で選択されることを特徴とする、請求項１に記載のマット構造。
【請求項４】
前記刺激用バンプの数量は２つより多く、各前記刺激用バンプの大きさは異なることを特徴とする、請求項１に記載のマット構造。
【請求項５】
前記硬質層の形状は波状であり、前記硬質層は隣接される少なくとも１つのピーク部及び少なくとも１つの凹部空間を有し、前記軟質層は少なくとも１つの凸部を有し、前記凸部の数量は前記凹部空間の数量と同じであり、前記凸部は前記硬質層の凹部空間に位置されることを特徴とする、請求項１乃至４の何れか１項に記載のマット構造。
【考案の詳細な説明】
【技術分野】
【０００１】
本考案は、マットの構造に関する。
【背景技術】
【０００２】
偏平足は足の裏の内側が完全に弓状に凹んでいない現象であり、現代社会において普遍的に見られる。偏平足は、仮性偏平足、柔軟性偏平足、硬性偏平足の３種類に大別される。
仮性偏平足は幼児に見られる形態であるが、その原因は足の裏の脂肪が多いためであり、成長するに連れて足の裏が徐々に弓状になっていく。柔軟性偏平足は最も多く見られる偏平足の形態であり、その原因は足の靭帯が緩んでおり、筋肉が不十分で足の裏が弓状に凹まないことである。前述の２種類の偏平足の形態について、業界では矯正靴等の多くの治療用製品を開発している。
【考案の概要】
【考案が解決しようとする課題】
【０００３】
しかしながら、一般的な市場に出回る矯正靴の価格は往々にして非常に高く、且つ使用範囲が非常に限られ、使用者が長時間矯正靴を履くと足に不快感を感じてしまう。このため、靭帯や筋肉を刺激して、偏平足を矯正できるマット構造が必要であった。
【０００４】
そこで、本考案者は上記の欠点が改善可能と考え、鋭意検討を重ねた結果、合理的設計で上記の課題を効果的に改善する本考案のマット構造の提案に到った。
【０００５】
本考案は、このような従来の問題に鑑みてなされたものであり、その主な目的とするところは、足を刺激し、足の裏をマッサージしてストレスを緩め、偏平足の症状を矯正する、マット構造を提供することにある。
【０００６】
本考案の他の目的は、使用者が足で様々な形状の表面を模擬的に踏むことで、足への刺激を増加させることにある。
【課題を解決するための手段】
【０００７】
上述した課題を解決し、目的を達成するための本考案に係るマット構造は、順に積層されて結合される滑り止め底層と、硬質層と、軟質層と、前記硬質層と前記軟質層との間に設置される刺激用バンプとを備え、前記滑り止め底層は、滑り止め材質で製造され、前記硬質層は、前記滑り止め底層の何れか一側に結合され、前記軟質層は、前記硬質層と前記滑り止め底層とが結合される側の反対側に結合され、前記軟質層の材質は前記硬質層の材質より軟らかいことを特徴とする。
【考案の効果】
【０００８】
上述した、本考案に係るマット構造は、主に硬質層と軟質層との間に刺激用バンプが設置されることで、刺激用バンプにより足の神経が刺激され、靭帯及び筋肉を伸縮させる効果を達成させて、靭帯及び筋肉を鍛え、靭帯及び筋肉を強化させると共に偏平足を矯正させる目的を達成させる。
【図面の簡単な説明】
【０００９】
【図１】本考案の一実施形態によるマット構造を示す断面図である。
【図２】本考案の他の実施形態によるマット構造を示す断面図である。
【図３】使用者が本考案のマットを足で踏んだ状態の概略図である。
【図４Ａ】本考案の一実施形態によるマットを草原に模した状態の斜視図である。
【図４Ｂ】本考案の一実施形態によるマットを砂浜に模した状態の斜視図である。
【考案を実施するための形態】
【００１０】
以下、図面を参照して、本考案を実施するための形態について、詳細に説明する。なお、本考案は、以下に説明する実施形態に限定されるものではない。
【実施例】
【００１１】
（第１実施形態）
本考案の第１実施形態の構成を図１から図４Ｂに示す。本考案の実施形態に係るマット構造は、順に積層されて結合される滑り止め底層１０と、硬質層２０と、軟質層３０と、模擬層４０とを備える。
滑り止め底層１０はＰＶＣやゴム等の滑り止め材質で製造される。硬質層２０は滑り止め底層１０の何れか一側に結合され、硬質層２０の形状は波状であり、隣接される少なくとも１つのピーク部２１及び少なくとも１つの凹部空間２２を有する。軟質層３０は硬質層２０と滑り止め底層１０とが結合される側の反対側に結合され、軟質層３０の形状は波状であり、少なくとも１つの凸部３１を有する。凸部３１の数量は凹部空間２２の数量と同じであり、凸部３１は硬質層２０の凹部空間２２に位置される。軟質層３０の材質は硬質層２０の材質よりも軟らかい。
【００１２】
模擬層４０は軟質層３０と硬質層２０とが結合される側の反対側に設置され、模擬層４０と軟質層３０とが結合される側の反対側には模擬面４１を有し、模擬面４１は砂場、草地、及び岩場の感触を模擬的に作り出す。刺激用バンプ５０は硬質層２０と軟質層３０との間に設置される。本実施形態において、刺激用バンプ５０の形状は円形であるが、但し、楕円形または多角形でもよい。刺激用バンプ５０の数量は２つより多く、各刺激用バンプ５０の大きさは異なる。
【００１３】
以上が本考案に係るマット構造の主要な部材及び構造の形態である。本考案の実施形態の使用方式及び効果については、以下に詳述する（図３参照）。
使用者がマット構造を踏むと、刺激用バンプ５０により足の靭帯及び筋肉が刺激され、これにより偏平足の矯正の目的を達成させる。
【００１４】
なお、刺激用バンプ５０の形状が円形である理由は、人体の足の裏の弓状形状に対応させるためであり、これにより人間工学により適合し、足の弓状の筋肉を強化させて、怪我をする危険性を低下させる。
【００１５】
好ましくは、各刺激用バンプ５０の大きさが異なることにより、足が程度の異なる刺激を受け、或いは異なる位置で刺激を受け、足の裏への刺激効果を促進させる。
【００１６】
さらに、硬質層２０の形状が波状であり、且つ軟質層３０の材質が硬質層２０の材質より軟らかいため、使用者がマットの上を歩行する際に、ピーク部２１及び凹部空間２２の弧度の変化及び高さの変化による刺激を受け、足の筋肉及び靭帯が強化される。
また、硬質層２０及び刺激用バンプ５０に軟質層３０が結合されることにより、緩衝効果が発生し、使用者の足が硬質層２０または刺激用バンプ５０に直接接触されることで、不要な痛みを感じたり、怪我をするのを防止させる。
【００１７】
本考案に係るマット構造は足踏みマットの形態に限定されず、ランニングマシンやインソール等の様々な方式に応用可能である。
【００１８】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。
従って、本考案の精神を逸脱せずに行う各種の同様の効果をもつ改良又は変更は、後述の請求項に含まれるものとする。
【符号の説明】
【００１９】
１０  滑り止め底層
２０  硬質層
２１  ピーク部
２２  凹部空間
３０  軟質層
３１  凸部
４０  模擬層
４１  模擬面
５０  刺激用バンプ
【図１】
0003207756.tif 000003
【図２】
0003207756.tif 000004
【図３】
0003207756.tif 000005
【図４Ａ】
0003207756.tif 000006
【図４Ｂ】
0003207756.tif 000007